(57)【要約】      （修正有）【課題】爪切り動作の際に上刃先部と下刃先部とが互いに接近する強さなどを変更、調整できる爪切り。【解決手段】前端に第一刃先部４、第二刃先部５をそれぞれ備えている第一刃体２及び第二刃体３と、第一溝部１０、第二溝部１１を通過して下端側が第二刃体３に係止され、第一刃体２の上側に向かって突出する支軸６と、押圧操作テコ８とを備えている爪切り１。第二溝部１１は凸部１２ｂが形成されている位置で溝幅が狭くなる幅狭部と支軸６は凸部１２ｂが形成されている位置を通過できない太さを有するとともに、凸部１２ｂが形成されている位置を挿通する部分に凹部７ａ、７ｂを備えていて、幅狭部１１を前後方向に通過できる太さである細幅部が形成されている。【選択図】図１
2018117974.tif 000002
【特許請求の範囲】
【請求項１】
前端に第一刃先部と、第二刃先部とをそれぞれ備えていて、前記第一刃先部と前記第二刃先部とが互いに離間する方向の弾性を有するように前記第一刃先部及び前記第二刃先部に対向する後端側で一体化されている第一刃体及び、第二刃体と、
前記第一刃体の前記第一刃先部の近傍で前記第一刃体の前後方向に伸びる第一溝部と、前記第一刃体に前記第一溝部が形成されている位置に対応する位置である前記第二刃体の前記第二刃先部の近傍で前記第二刃体の前後方向に伸びる第二溝部とを通過して前記第一刃体及び、前記第二刃体を挿通し、前記第二刃体側の下端側が前記第二刃体に係止され、前記第一刃体側の上端側が、前記第一溝部から前記第一刃体の上側に向かって突出する支軸と、
基端の近傍に形成されている支点部を第一刃体の上側面に当接させて前記基端に対向する先端が前記支軸の上端に対して上下方向に旋回するように前記支軸の上端に前記基端が取り付けられている押圧操作テコと
を備えていて、
前記第一溝部、前記第二溝部の中の少なくともどちらか一方は、前端側部と後端側部との間に溝部側壁が突出する凸部が形成されていて、前記凸部が形成されている位置で溝幅が狭くなる幅狭部となり、
前記支軸は、前記凸部が形成されている位置を通過できない太さを有するとともに、前記支軸の上下方向における前記凸部が形成されている位置を挿通する部分に凹部を備えていて、前記凹部によって前記幅狭部を前記前後方向に通過できる太さである細幅部が形成されている
爪切り。
【請求項２】
前記支軸を軸心を中心に回転させることで前記支軸の前記凹部を前記凸部に対向させて前記幅狭部を前記支軸が前記前後方向に通過可能にする請求項１記載の爪切り。
【発明の詳細な説明】
【技術分野】
【０００１】
この発明は爪切りに関する。特に、上下両刃体に支軸が挿通され、この支軸の下端側が下刃体に係止されているとともに、上端側が上刃体から上方に突出し、上刃体上で押圧操作テコが支軸の上端部に対して支持ピンにより支持されている爪切りに関する。
【背景技術】
【０００２】
上述した構造の爪切りについては従来から種々の提案が行われている。例えば、特許文献１、２、３。
【先行技術文献】
【特許文献】
【０００３】
【特許文献１】特開２０００−１０６９３９号公報
【特許文献２】特開２００２−１４２８５３号公報
【特許文献３】特開２０１０−６９０９７号公報
【発明の概要】
【発明が解決しようとする課題】
【０００４】
上下両刃体に支軸が挿通され、この支軸の下端側が下刃体に係止されているとともに、上端側が上刃体から上方に突出し、上刃体上で押圧操作テコが支軸の上端部に対して支持ピンにより支持されている爪切りでは、上下両刃体の前端にそれぞれ配備されている上刃先部と下刃先部とが互いに接近して当接することで爪の切断（爪切り）が行われる。
【０００５】
この爪切り動作の際に上刃先部と下刃先部とが互いに接近する強さなどを変更、調整できる爪切りを提供することを目的にしている。
【課題を解決するための手段】
【０００６】
［１］
前端に第一刃先部と、第二刃先部とをそれぞれ備えていて、前記第一刃先部と前記第二刃先部とが互いに離間する方向の弾性を有するように前記第一刃先部及び前記第二刃先部に対向する後端側で一体化されている第一刃体及び、第二刃体と、
前記第一刃体の前記第一刃先部の近傍で前記第一刃体の前後方向に伸びる第一溝部と、前記第一刃体に前記第一溝部が形成されている位置に対応する位置である前記第二刃体の前記第二刃先部の近傍で前記第二刃体の前後方向に伸びる第二溝部とを通過して前記第一刃体及び、前記第二刃体を挿通し、前記第二刃体側の下端側が前記第二刃体に係止され、前記第一刃体側の上端側が、前記第一溝部から前記第一刃体の上側に向かって突出する支軸と、
基端の近傍に形成されている支点部を第一刃体の上側面に当接させて前記基端に対向する先端が前記支軸の上端に対して上下方向に旋回するように前記支軸の上端に前記基端が取り付けられている押圧操作テコと
を備えていて、
前記第一溝部、前記第二溝部の中の少なくともどちらか一方は、前端側部と後端側部との間に溝部側壁が突出する凸部が形成されていて、前記凸部が形成されている位置で溝幅が狭くなる幅狭部となり、
前記支軸は、前記凸部が形成されている位置を通過できない太さを有するとともに、前記支軸の上下方向における前記凸部が形成されている位置を挿通する部分に凹部を備えていて、前記凹部によって前記幅狭部を前記前後方向に通過できる太さである細幅部が形成されている
爪切り。
【０００７】
［２］
前記支軸を軸心を中心に回転させることで前記支軸の前記凹部を前記凸部に対向させて前記幅狭部を前記支軸が前記前後方向に通過可能にする［１］の爪切り。
【発明の効果】
【０００８】
この発明によれば、上下両刃体に支軸が挿通され、この支軸の下端側が下刃体に係止されているとともに、上端側が上刃体から上方に突出し、上刃体上で押圧操作テコが支軸の上端部に対して支持ピンにより支持されていて、上下両刃体の前端にそれぞれ配備されている上刃先部と下刃先部とが互いに接近して当接することで爪の切断（爪切り）を行う爪切りにおいて、爪切り動作で上刃先部と下刃先部とが互いに接近する強さなどを変更、調整することができる。
【図面の簡単な説明】
【０００９】
【図１】この発明の一実施形態に係る爪切りの概略構成を分解して説明する斜視図。
【図２】この発明の一実施形態に係る爪切りの第一刃体、第二刃体に形成されている第一溝部、第二溝部の一例を説明する図であって、（ａ）は第一溝部の平面図、（ｂ）は第二溝部の平面図。
【図３】この発明の一実施形態に係る爪切りの支軸を表す正面図であって、（ａ）は第二溝部の前端側部あるいは後端側部に支軸が位置している状態、（ｂ）は第二溝部の幅狭部を支軸が通過している状態を表す図。
【図４】この発明の一実施形態に係る爪切りにおいて、支軸が第二溝部内を移動する状態を説明する一部を省略した概略平面図であって、（ａ）は支軸が第二溝部の後端側部に位置している状態、（ｂ）は支軸が第二溝部の幅狭部を通過している状態、（ｃ）は支軸が第二溝部の前端側部に位置している状態を説明する図。
【図５】この発明の一実施形態に係る爪切りにおいて、支軸が第二溝部の後端側部に位置している状態を表す一部を省略した概略平面図。
【図６】この発明の一実施形態に係る爪切りにおいて、支軸が第二溝部の後端側部から前端側部に向かって移動している途中（支軸が第二溝部の幅狭部を通過している状態）を表す一部を省略した概略平面図。
【図７】この発明の一実施形態に係る爪切りにおいて、支軸が第二溝部の間端側部に位置している状態を表す一部を省略した概略平面図。
【図８】この発明の一実施形態に係る爪切りで支軸が第二溝部の後端側部に位置していて爪切り動作が行われていない状態を説明する一部を省略した概略断面図。
【図９】この発明の一実施形態に係る爪切りで支軸が第二溝部の後端側部に位置していて爪切り動作が行われている状態を説明する一部を省略した概略断面図。
【図１０】この発明の一実施形態に係る爪切りで支軸が第二溝部の前端側部に位置していて爪切り動作が行われていない状態を説明する一部を省略した概略断面図。
【図１１】この発明の一実施形態に係る爪切りで支軸が第二溝部の前端側部に位置していて爪切り動作が行われている状態を説明する一部を省略した概略断面図。
【発明を実施するための形態】
【００１０】
この実施の形態の爪切り１は、第一刃体２、第二刃体３、支軸６、押圧操作テコ８を備えている。
【００１１】
図１図示のように、第一刃体２は、前端に第一刃先部４を備えていて、第二刃体３は、前端に第二刃先部５を備えている。
【００１２】
第一刃体２と、第二刃体３とは、第一刃先部４と第二刃先部５とが互いに離間する方向（図８における矢印２３、２４で示す方向と反対に向かう方向）の弾性を有するように第一刃先部４及び第二刃先部５に対向する後端側で一体化されている。
【００１３】
図１図示の実施形態では、第一刃体２と、第二刃体３とは、後端側において接合されている形態になっている。これに替えて、一枚の板体が折り曲げられて、第一刃先部４と第二刃先部５とが互いに離間する方向の弾性を有する構造からなる第一刃体２、第二刃体３とすることもできる。
【００１４】
第一刃体２は、第一刃先部４の近傍で第一刃体２の前後方向に伸びる第一溝部１０を備えている（図１）。
【００１５】
第二刃体３は、第二刃先部５の近傍で第二刃体３の前後方向に伸びる第二溝部１１を備えている（図１）。
【００１６】
第二刃体３に第二溝部１１が形成されている位置は、図１図示のように、第一刃体２に第一溝部１０が形成されている位置に対応する位置になっている。
【００１７】
また、図１図示のように、第一溝部１０の前後方向の長さ及び、前後方向に直交する横幅の大きさは、第二溝部１１の前後方向の長さ及び、前後方向に直交する横幅の大きさとそれぞれ同一になっている。
【００１８】
なお、図示の実施形態では、第二溝部１１は、後端側部１１ａと前端側部１１ｂ（図３）との間に溝幅が狭くなる幅狭部１１ｃを備えている。この構造については後述する。
【００１９】
支軸６は、第二刃体３の第二溝部１１と、第一刃体２の第一溝部１０とを通過して第二刃体３及び第一刃体２を挿通している。支軸６の第二刃体３側の下端側が第二刃体３に係止されている。
【００２０】
図示の実施形態では、支軸６は下端に第二溝部１１の横幅よりも大径の係止部６ａを備えており、係止部６ａの上面が、第二刃体３の下面に当接することで、支軸６の下端側が第二刃体３に係止される構造になっている。
【００２１】
一方、支軸６の第一刃体２側の上端側は、第一溝部１０から第一刃体２の上側に向かって突出している。
【００２２】
第一刃体２の上側に突出する支軸６の上端側にはピン孔６ｂが形成されており、ここに、押圧操作テコ８の基端に形成されているピン孔８ａ、８ｂがあてがわれ、ピン９が、ピン孔８ａ、ピン孔６ｂ、ピン孔８ｂに挿入されて、支軸６の上端に押圧操作テコ８の基端が取り付けられる。
【００２３】
このように取り付けられることで、押圧操作テコ８は、基端の近傍に形成されている支点部８ｃを第一刃体２の上側面に当接させて基端に対向する先端８ｄが支軸６の上端に対して上下方向（図８に矢印２２で示す方向及び、この反対に向かう方向）に旋回可能になっている。
【００２４】
以上に説明したように、この実施形態の爪切り１は、上下両刃体に支軸６が挿通され、この支軸６の下端側が下刃体に係止されているとともに、上端側が上刃体から上方に突出し、上刃体上で押圧操作テコ８が支軸６の上端部に対してピン９により支持されている構造で、上下両刃体の前端にそれぞれ配備されている上刃先部４と下刃先部５とが互いに接近して当接することで爪の切断（爪切り）を行うものである。
【００２５】
爪切り動作を行わずに、収納しておく状態のときには、押圧操作テコ８の基端が支軸６の上端に取り付けられている状態で、図３に矢印２０ａあるいは、矢印２０ｂで示すように、支軸６を軸心を中心に回転させ、更に、ピン９を中心として矢印２２（図８）方向に押圧操作テコ８を旋回させ、押圧操作テコ８の操作面８ｅが第一刃体２の上側面に当接するようにしておく。
【００２６】
図示の実施形態では、第二溝部１１の、後端側部１１ａと前端側部１１ｂ（図４）との間に溝部側壁が突出する凸部１２ａ、１２ｂが形成されている。この凸部１２ａ、１２ｂが形成されている位置で第二溝部１１は溝幅が狭くなる幅狭部１１ｃとなっている（図２（ｂ））。
【００２７】
支軸６は、第二刃体３の第二溝部１１と、第一刃体２の第一溝部１０とを通過して第二刃体３及び第一刃体２を挿通する構造であるので、その太さは、図４図示のように、第二溝部１１の凸部１２ａ、１２ｂが形成されている位置（すなわち、幅狭部１１ｃ）を通過できない大きさになっている。
【００２８】
一方、支軸６は、その上下方向における第二溝部１１を挿通する部分に、図３（ｂ）図示のように、凹部７ａ、７ｂを備えている。
【００２９】
この凹部７ａ、７ｂが形成されていることによって、支軸６は、第二溝部１１の幅狭部１１ｃを通過できる太さの細幅部６ｃを備えている（図３（ｂ））。
【００３０】
支軸６が第二溝部１１の中で、図３（ａ）、図４（ａ）、図５、図４（ｃ）、図７図示の状態にあるときには、支軸６は、第二溝部１１の幅狭部１１ｃを通過できない。
【００３１】
支軸６が第二溝部１１の後端側部１１ａ（図４（ａ）、図５）に位置している状態で、基端が支軸６の上端に取り付けられている押圧操作テコ８を用いて、図４（ａ）、図５に矢印２０ａで示すように、支軸６を軸心を中心に回転させて、支軸６を図３（ｂ）図示の状態にする。
【００３２】
このようにすると、支軸６の細幅部６ｃは、第二溝部１１の幅狭部１１ｃを通過できる太さであるので、基端が支軸６の上端に取り付けられている押圧操作テコ８を用いて、支軸６を、図４（ｂ）、図６に矢印２１で示す方向に移動させ、支軸６を、第二溝部１１の後端側部１１ａ（図４（ａ）、図５）から、第二溝部１１の前端側部１１ｂに移動させることができる。
【００３３】
支軸６を第二溝部１１の前端側部１１ｂに移動させた後、基端が支軸６の上端に取り付けられている押圧操作テコ８を用いて、図４（ｃ）、図７に矢印２０ｂで示すように、支軸６を軸心を中心に回転させて、支軸６を図３（ａ）図示の状態にすると、支軸６は、第二溝部１１の幅狭部１１ｃを通過できないので、支軸６は、第二溝部１１の前端側部１１ｂ（図７）にとどまることになる。
【００３４】
図８、図９は、支軸６が、第二溝部１１の後端側部１１ａ（図４（ａ）、図５）に位置している状態での爪切り動作を説明する図である。
【００３５】
図８図示の状態で、押圧操作テコ８の支点部８ｃを第一刃体２の上側面に当接させて先端８ｄを支軸６の上端に対して下方向（矢印２２で示す方向）へ旋回させると、上下両刃体の前端にそれぞれ配備されている上刃先部４と下刃先部５とが矢印２３、２４で示すように互いに接近して当接し、爪の切断（爪切り）が行われる（図９）。
【００３６】
矢印２２で示す方向への押圧を解除すると、第一刃体２の第一刃先部４と、第二刃体３の第二刃先部５とは、上述した弾性によって、図８における矢印２３、２４で示す方向と反対に向かう方向で、互いに離間して図８図示の状態に復帰する。
【００３７】
図１０、図１１は、支軸６が、第二溝部１１の前端側部１１ｂ（図４（ｃ）、図７）に位置している状態での爪切り動作を説明する図である。
【００３８】
図１０図示の状態で、押圧操作テコ８の支点部８ｃを第一刃体２の上側面に当接させて先端８ｄを支軸６の上端に対して下方向（矢印２２で示す方向）へ旋回させると、上下両刃体の前端にそれぞれ配備されている上刃先部４と下刃先部５とが矢印２３、２４で示すように互いに接近して当接し、爪の切断（爪切り）が行われる（図１１）。
【００３９】
矢印２２で示す方向への押圧を解除すると、第一刃体２の第一刃先部４と、第二刃体３の第二刃先部５とは、上述した弾性によって、図７における矢印２３、２４で示す方向と反対に向かう方向で、互いに離間して図１０図示の状態に復帰する。
【００４０】
支軸６が、第二溝部１１の後端側部１１ａ（図４（ａ）、図５）に位置している状態（図８、図９）における、支軸６から第一刃先部４、第二刃先部５までの距離の方が、支軸６が、第二溝部１１の前端側部１１ｂ（図４（ｃ）、図７）に位置している状態（図１０、図１１）における、支軸６から第一刃先部４、第二刃先部５までの距離よりも大きくなる。
【００４１】
また、支軸６が、第二溝部１１の後端側部１１ａ（図４（ａ）、図５）に位置している状態（図８、図９）における、第一刃先部４と第二刃先部５との間の間隔の方が、支軸６が、第二溝部１１の前端側部１１ｂ（図４（ｃ）、図７）に位置している状態（図１０、図１１）における、第一刃先部４と第二刃先部５との間の間隔よりも大きくなる。
【００４２】
そこで、図８、図９で図示し、説明した爪切り動作よりも、図１０、図１１で図示し、説明した爪切り動作の方が、第一刃先部４と第二刃先部５とが互いに接近する強さが穏やかなものになり、より繊細で、柔らかいフィーリングで爪切りを行うことのできるものになる。
【００４３】
小さな子供の爪を切る際や、慎重に爪切りを行う場合などには、支軸６が、第二溝部１１の前端側部１１ｂ（図４（ｃ）、図７、図１０、図１１）に位置している状態にして爪切りを行うことで、穏やかに、より繊細で、柔らかいフィーリングで爪切りを行うことができる。
【００４４】
一方、大人が爪切り１を使用する場合などには、図４（ｃ）、図７図示の状態で、基端が支軸６の上端に取り付けられている押圧操作テコ８を用いて、図４（ａ）、図５に矢印２０ａで示されている方向に、支軸６を軸心を中心に回転させて、支軸６を図３（ｂ）図示の状態にする。
【００４５】
このようにすると、支軸６の細幅部６ｃは、第二溝部１１の幅狭部１１ｃを通過できる太さであるので、基端が支軸６の上端に取り付けられている押圧操作テコ８を用いて、支軸６を、図６に矢印２１で示されている方向と反対の方向に移動させ、支軸６を、第二溝部１１の前端側部１１ｂ（図４（ｃ）、図７）から後端側部１１ａ（図４（ａ）、図５）に移動させる。
【００４６】
そして、支軸６が第二溝部１１の後端側部１１ａ（図４（ａ）、図５）に位置している状態（図８、図９）にして爪切りを行うことで、支軸６が第二溝部１１の前端側部１１ｂ（図４（ｃ）、図７、図１０、図１１）に位置している状態の時よりは強い強度で爪切りを行うことができる。
【００４７】
以上、添付図面を参照してこの発明の実施形態を説明したが、この発明は上述した実施形態に限られることなく、特許請求の範囲の記載から把握される技術的範囲において種々に変更可能である。
【００４８】
例えば、上述した実施形態では、第二溝部１１の後端側部１１ａと前端側部１１ｂとの間に溝部側壁が突出する凸部１２ａ、１２ｂが形成されていて、この位置で第二溝部１１は溝幅が狭くなる幅狭部１１ｃとなり、支軸６は、第二溝部１１を挿通する部分に凹部７ａ、７ｂを備えていて、これによって、第二溝部１１の幅狭部１１ｃを通過できる太さの細幅部６ｃになっていた。
【００４９】
図示していないが、第一溝部１０も、同様に、溝幅が狭くなる幅狭部を備えていて、支軸６が、第一溝部１０を挿通する部分に当該幅狭部を通過できる太さの細幅部を備えている構造にすることもできる。
【００５０】
また、図示し、上記で説明したのとは逆に、第二溝部１１は前後方向で横幅が変化しない構造にし、第一溝部１０だけを、溝幅が狭くなる幅狭部を備えていて、支軸６が、第一溝部１０を挿通する部分に当該幅狭部を通過できる太さの細幅部を備えている構造にすることもできる。
【００５１】
更に、対向している両方の溝部側壁から凸部が形成されているのではなくて、一方側の溝部側壁のみから凸部が形成されて溝幅が狭くなる幅狭部が形成され、これに対応して、支軸も当該凸部に対応する一箇所の凹部が形成されていて前記幅狭部を通過できる太さの細幅部が形成されている構造にすることもできる。
【００５２】
また、上述した実施形態及び添付図面では、本発明の特徴にポイントを当てて説明しているため省略しているが、爪切り動作によって切断した爪が飛散しないように、図示して説明した本発明の爪切りが従来公知の爪飛散防止ケースに収容されている構造・形態の爪切りにすることもできる。
【符号の説明】
【００５３】
１  爪切り
２  第一刃体
３  第二刃体
４  第一刃先部
５  第二刃先部
６  支軸
６ａ  係止部
６ｂ  ピン孔
６ｃ  細幅部
７ａ、７ｂ  凹部
８  押圧操作テコ
８ａ、８ｂ  ピン孔
９  ピン
１０  第一溝部
１１  第二溝部
１１ａ  後端側部
１１ｂ  前端側部
１１ｃ  幅狭部
１２ａ、１２ｂ  凸部
【図１】
2018117974.tif 000003
【図２】
2018117974.tif 000004
【図３】
2018117974.tif 000005
【図４】
2018117974.tif 000006
【図５】
2018117974.tif 000007
【図６】
2018117974.tif 000008
【図７】
2018117974.tif 000009
【図８】
2018117974.tif 000010
【図９】
2018117974.tif 000011
【図１０】
2018117974.tif 000012
【図１１】
2018117974.tif 000013
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
前端に第一刃先部と、第二刃先部とをそれぞれ備えていて、前記第一刃先部と前記第二刃先部とが互いに離間する方向の弾性を有するように前記第一刃先部及び前記第二刃先部に対向する後端側で一体化されている第一刃体及び、第二刃体と、
前記第一刃体の前記第一刃先部の近傍で前記第一刃体の前後方向に伸びる第一溝部と、前記第一刃体に前記第一溝部が形成されている位置に対応する位置である前記第二刃体の前記第二刃先部の近傍で前記第二刃体の前後方向に伸びる第二溝部とを通過して前記第一刃体及び、前記第二刃体を挿通し、前記第二刃体側の下端側が前記第二刃体に係止され、前記第一刃体側の上端側が、前記第一溝部から前記第一刃体の上側に向かって突出する支軸と、
基端の近傍に形成されている支点部を第一刃体の上側面に当接させて前記基端に対向する先端が前記支軸の上端に対して上下方向に旋回するように前記支軸の上端に前記基端が取り付けられている押圧操作テコと
を備えていて、
前記第一溝部、前記第二溝部の中の少なくともどちらか一方は、前端側部と後端側部との間に溝部側壁が突出する凸部が形成されていて、前記凸部が形成されている位置で溝幅が狭くなる幅狭部となり、
前記支軸は、前記凸部が形成されている位置を通過できない太さを有するとともに、前記支軸の上下方向における前記凸部が形成されている位置を挿通する部分に凹部を備えていて、前記凹部によって前記幅狭部を前記前後方向に通過できる太さである細幅部が形成されており、
前記支軸を軸心を中心に回転させることで前記支軸の前記凹部を前記凸部に対向させて前記幅狭部を前記支軸が前記前後方向に通過し、前記支軸が前記第一溝部及び前記第二溝部の前記後端側に位置している状態での爪切り動作と、前記支軸が前記第一溝部及び前記第二溝部の前記前端側に位置している状態での爪切り動作とを任意に切り替え可能で、
前記支軸が前記第一溝部及び前記第二溝部の前記後端側に位置している状態での前記第一刃先部と前記第二刃先部との間の間隔の方が、前記支軸が前記第一溝部及び前記第二溝部の前記前端側に位置している状態での前記第一刃先部と前記第二刃先部との間の間隔より大きい
爪切り。
【手続補正２】
【補正対象書類名】明細書
【補正対象項目名】０００６
【補正方法】変更
【補正の内容】
【０００６】
［１］
前端に第一刃先部と、第二刃先部とをそれぞれ備えていて、前記第一刃先部と前記第二刃先部とが互いに離間する方向の弾性を有するように前記第一刃先部及び前記第二刃先部に対向する後端側で一体化されている第一刃体及び、第二刃体と、
前記第一刃体の前記第一刃先部の近傍で前記第一刃体の前後方向に伸びる第一溝部と、前記第一刃体に前記第一溝部が形成されている位置に対応する位置である前記第二刃体の前記第二刃先部の近傍で前記第二刃体の前後方向に伸びる第二溝部とを通過して前記第一刃体及び、前記第二刃体を挿通し、前記第二刃体側の下端側が前記第二刃体に係止され、前記第一刃体側の上端側が、前記第一溝部から前記第一刃体の上側に向かって突出する支軸と、
基端の近傍に形成されている支点部を第一刃体の上側面に当接させて前記基端に対向する先端が前記支軸の上端に対して上下方向に旋回するように前記支軸の上端に前記基端が取り付けられている押圧操作テコと
を備えていて、
前記第一溝部、前記第二溝部の中の少なくともどちらか一方は、前端側部と後端側部との間に溝部側壁が突出する凸部が形成されていて、前記凸部が形成されている位置で溝幅が狭くなる幅狭部となり、
前記支軸は、前記凸部が形成されている位置を通過できない太さを有するとともに、前記支軸の上下方向における前記凸部が形成されている位置を挿通する部分に凹部を備えていて、前記凹部によって前記幅狭部を前記前後方向に通過できる太さである細幅部が形成されており、
前記支軸を軸心を中心に回転させることで前記支軸の前記凹部を前記凸部に対向させて前記幅狭部を前記支軸が前記前後方向に通過し、前記支軸が前記第一溝部及び前記第二溝部の前記後端側に位置している状態での爪切り動作と、前記支軸が前記第一溝部及び前記第二溝部の前記前端側に位置している状態での爪切り動作とを任意に切り替え可能で、
前記支軸が前記第一溝部及び前記第二溝部の前記後端側に位置している状態での前記第一刃先部と前記第二刃先部との間の間隔の方が、前記支軸が前記第一溝部及び前記第二溝部の前記前端側に位置している状態での前記第一刃先部と前記第二刃先部との間の間隔より大きい
爪切り。
爪切り。
【手続補正３】
【補正対象書類名】明細書
【補正対象項目名】０００７
【補正方法】削除
【補正の内容】